(57)【特許請求の範囲】
【請求項１】
キートップと、
キートップの固着部及び該キートップの押圧変位を可能にする浮動支持部を有するゴム状弾性体でなる支持部材と、支持部材を支持し硬質材でなる薄板状の補強部材とを有するベースシートと、を備えるキーシートにおいて、
浮動支持部の全体を覆う可撓性の保護層を浮動支持部に固着するとともに支持部材と補強部材との間に介在させて備えることを特徴とするキーシート。
【請求項２】
保護層を支持部材の表面又は裏面の少なくとも何れかに設ける請求項１記載のキーシート。
【請求項３】
保護層が支持部材の固着部の表面を覆う請求項１記載のキーシート。
【請求項４】
保護層が軟質樹脂でなる請求項１〜請求項３何れか１項記載のキーシート。
【請求項５】
保護層が熱可塑性樹脂でなる請求項１〜請求項４何れか１項記載のキーシート。
【請求項６】
キートップを熱可塑性樹脂で形成し、キートップが固着部の表面を覆う保護層に対し軟化又は溶融して固着している請求項５記載のキーシート。
【請求項７】
キートップが、加熱により軟化又は溶融する接着層によって保護層に固着している請求項１〜請求項５何れか１項記載のキーシート。
【請求項８】
保護層がフィルムシートである請求項１〜請求項７何れか１項記載のキーシート。
【請求項９】
保護層が遮光性のフィルムシートである請求項１、請求項２、請求項４〜請求項５何れか１項記載のキーシート。
【請求項１０】
フィルムシートの材質がウレタン系樹脂である請求項８又は請求項９記載のキーシート。
【発明の詳細な説明】
【技術分野】
【０００１】
本発明は、携帯電話機、ＰＤＡ、カーナビゲーション装置、カーオーディオ装置など各種電子機器の操作部に使用する押釦スイッチ用のキーシートに関し、特に電子機器の筐体に形成した仕切桟の無い操作開口から複数のキートップを露出させて使用するキーシートに関する。
【背景技術】
【０００２】
例えば携帯電話機１では、図１１で示すように、操作部の小型化やデザイン性などの要請から、筐体２に形成した仕切桟の無い操作開口２ａからキーシート３の複数のキートップ４を密集状態で露出させた押釦スイッチが知られている。このキートップ４は計１７個あり、隣り合うキートップ４どうしの間隔は大変狭く、例えば０．１５ｍｍ〜０．２ｍｍ程度に配置され、キートップ４と操作開口２ａとの隙間も同程度に大変狭くされている。
【０００３】
この従来例におけるキーシート３は、図１２で示すように、キートップ４をベースシート５の操作面側となる表面に固着したものである。このベースシート５は、キートップ４を固着するシリコーンゴムでなる基台部６と硬質樹脂でなる補強板７を備えている。このため携帯電話機１の使用時にキーシート３を直立させたり傾倒させても、補強板７の剛性によってキーシート３の全体的な歪みを抑えることができる（特許文献１）。
【特許文献１】特開２００４−３２７４１７号公報
【発明の開示】
【発明が解決しようとする課題】
【０００４】
ところで上記基台部６は、キートップ４を固着する台座部６ａとこの台座部６ａを弾性的に支持する可撓部６ｂから構成されているが、キートップ４の押圧操作を繰り返していると、可撓部６ｂが屈曲疲労して破損するおそれがある。例えば薄型化の要請が強い携帯用の電子機器では、各構成部材の薄肉化が進んでおり可撓部６ｂも０．２ｍｍ程度まで薄く、破損し易いという課題がある。
【０００５】
他方、キートップ４と台座部６ａの固着は、両者の何れか一方に接着剤を塗布して行われる。このときキートップ４と台座部６ａとの界面からはみ出た接着剤が、可撓部６ｂに付着することがある。前述のように薄肉の可撓部６ｂでは、接着剤の付着した部分が変形しなくなり、この周囲に伸長の偏りが生じて可撓部６ｂが破損するという課題もある。
【０００６】
以上のような従来技術を背景になされたのが本発明である。すなわち本発明の目的は、押圧操作に対して破損し難い薄型のキーシートを提供することにある。
【課題を解決するための手段】
【０００７】
上記目的を達成すべく本発明は以下のように構成される。
【０００８】
すなわち本発明は、キートップと、キートップの固着部及び該キートップの押圧変位を可能にする浮動支持部を有するゴム状弾性体でなる支持部材と、支持部材を支持し硬質材でなる薄板状の補強部材とを有するベースシートと、を備えるキーシートについて、浮動支持部に可撓性の保護層を備えることを特徴とするキーシートを提供する。
【０００９】
本発明では、キートップの押圧変位を可能にする浮動支持部に可撓性の保護層を備える。このためキートップを押圧操作すると、浮動支持部とともに保護層も変形し、浮動支持部と保護層の両者で押圧荷重を受けることができる。よって浮動支持部にかかる荷重が緩和され、浮動支持部を破損し難くすることができる。
【００１０】
本発明は前記キーシートについて、保護層を支持部材と補強部材との間に介在させる。このためキートップを押圧したときに、支持部材の浮動支持部が補強部材と擦れ合うことを防げる。よって浮動支持部の補強部材と擦れることにより生じる破損を防止できる。
【００１１】
以上のような保護層は支持部材の表面又は裏面の少なくとも何れかに設けることができる。そして特にこれを表面に設ける場合の一例として本発明は、支持部材の固着部を覆うように保護層を設ける。従来技術ではキートップをベースシートに固着する際に、基台部の材質を考慮して接着方法を選定している。例えば従来例のようにシリコーンゴムでなる基台部６では、基台部６の表面改質を必要とし、接着剤の材質も限定されている。しかし本発明によれば、支持部材をシリコーンゴムで形成してもその表面を覆う保護層に対してキートップを固着するため、表面改質を不要にでき接着剤の選択範囲も広がる。よって従来例に比べてキートップを安価で固着でき、固着強度も高めることができる。また、裏面に設ける場合には、支持部材の裏面とそれに対向する基板との接触を防げるため、支持部材の基板との接触による摩耗を防止できる。
【００１２】
本発明は前記キーシートについて、補強部材に浮動支持部を支持する枠状の桟部を設け、支持部材に該桟部の側壁を覆う保持部を設ける。即ち保持部は、補強部材と浮動支持部の間に介在する。このためキートップを押圧したときに、浮動支持部が補強部材における桟部の側壁と擦れ合うことを防げる。よって浮動支持部の補強部材と擦れることにより生じる破損を防止できる。
【００１３】
本発明は前記キーシートについて、保護層を軟質樹脂で形成するため、キートップを押圧操作すると浮動支持部に加え保護層の変形を伴うが、押圧荷重の増加を小さく抑えることができる。よって保護層を備えていない場合と同様の操作性を実現できる。
【００１４】
本発明は前記キーシートについて、保護層を熱可塑性樹脂で形成するため、保護層を加熱処理又は加熱・加圧処理で軟化できる。よって支持部材を成形するときに、成形金型に保護層をインサートすれば、成形時の熱と圧力によって保護層の支持部材と接触する面が軟化又は溶融し、支持部材の成形と同時に保護層を一体化できる。
【００１５】
本発明は前述の熱可塑性樹脂でなる保護層を用いたキーシートについて、熱可塑性樹脂で形成したキートップを固着部の表面を覆う保護層に対し軟化又は溶融して固着する。熱可塑性樹脂でなる部材どうしは加熱処理又は加熱・加圧処理で軟化又は溶融して固着できるため、接着剤に比べて強固に固着できる。例えば加熱・加圧処理は超音波を用いれば容易に行えるため、キートップと保護層との固着を簡単に実現できる。また接着剤を用いていないため、浮動支持部に接着剤が付着することはない。よって浮動支持部を破損し難くできる。なお、キートップと保護層とを軟化又は溶融状態で固着する場合、それらは軟化又は溶融状態で相溶性のある材質とする。こうした相溶性のある材質としては、例えば同材質の熱可塑性樹脂や、異材質であっても軟化又は溶融により固着可能な熱可塑性樹脂を利用することができる。
【００１６】
本発明は前記キーシートについて、キートップを加熱により軟化又は溶融する接着層によって支持部材又は保護層に固着する。加熱により軟化又は溶融する例えばホットメルト接着剤でなる接着層は、熱転写にて被着体の被着面積及び被着形状に合わせて設けることができる。このためキートップの固着面積及び固着形状に合わせて接着層を設けることができ、はみ出しによる浮動支持部への接着層の付着を防止できる。よって伸長する浮動支持部に偏りのある変形が発生せず浮動支持部を破損し難くできる。
【発明の効果】
【００１７】
本発明のキーシートによれば、キートップを押圧操作すると、浮動支持部とともに保護層も変形し、浮動支持部と保護層の両者で押圧荷重を受けることができる。このため浮動支持部にかかる荷重が緩和され、浮動支持部を破損し難くすることができる。よって押圧操作に対して破損し難くできる。したがって電子機器の小型化、薄型化の要請に対応でき、特に携帯用の電子機器に利用できる。
【発明を実施するための最良の形態】
【００１８】
以下、本発明の実施形態の例について図面を参照しつつ説明する。なお、各実施形態で共通する構成については、同一の符号を付して重複説明を省略する。
【００１９】
以下の各実施形態では、「電子機器」として従来技術と同様に携帯電話機１の筐体２の内部に組み込むキーシートに本発明を適用する例を説明する。なかでも特に、携帯電話機１の筐体２に形成した仕切桟の無い操作開口から複数のキートップが露出する、所謂「狭間キーシート」への適用例を説明する。
【００２０】
第１実施形態〔図１，図２〕
第１実施形態のキーシート８は、ポリカーボネート樹脂でなるキートップ４とそのキートップ４を固着するベースシート９とで構成される。このうちベースシート９は、「支持部材」としてのゴム成型体１０と「保護層」としてのフィルムシート１１と「補強部材」としての樹脂板１２とを備えている。
【００２１】
ゴム成型体１０はシリコーンゴムでなり、キートップ４ごとに分割して形成されている。この操作面側となる表面にはキートップ４の「固着部」としての台座部１０ａが突出している。表面の反対となる裏面には対向する接点スイッチ（図外）を押圧する押し子部１０ｂが設けてある。そして台座部１０ａの周囲には、キートップ４及び台座部１０ａの押圧変位を可能にする浮動支持部１０ｃを形成してある。このようなゴム成型体１０の台座部１０ａの上面には、紫外線硬化型樹脂でなる接着剤を塗布した接着層１３によってキートップ４が固着されている。なお、台座部１０ａを突出させずに平坦とし、キートップ４の裏面に突起を形成する構成にして、キートップ４の裏面の突起が固着するゴム成型体１０の部分を「固着部」とすることも可能である。
【００２２】
フィルムシート１１は、ウレタン系の熱可塑性軟質樹脂で形成されている。このフィルムシート１１はキートップ４との固着面を除くゴム成型体１０の表面を被覆し、分割するゴム成型体１０を一体に繋げている。
【００２３】
樹脂板１２は硬質樹脂でなり、格子状とした桟部１２ａによって貫通孔１２ｂが形成されている。この貫通孔１２ｂはゴム成型体１０にて閉塞されており、桟部１２ａの側壁及び裏面にはフィルムシート１１が固着している。
【００２４】
ここで、本実施形態を構成するキーシート８の各構成部材の材質を説明する。なお、以下の説明は後述の各実施形態についても共通である。
【００２５】
「ゴム状弾性体」の材質は、反発弾性の高いゴム又は熱可塑性エラストマーが好ましい。例えばゴムの場合、天然ゴム、シリコーンゴム、エチレンプロピレンゴム、ブタジエンゴム、イソプレンゴム、クロロプレンゴム、ウレタンゴム等を利用でき、また熱可塑性エラストマーの場合にはスチレン系熱可塑性エラストマー、オレフィン系熱可塑性エラストマー、エステル系熱可塑性エラストマー、ウレタン系熱可塑性エラストマー、アミド系熱可塑性エラストマー、ブタジエン系熱可塑性エラストマー、エチレン−酢酸ビニル系熱可塑性エラストマー、フッ素ゴム系熱可塑性エラストマー、イソプレン系熱可塑性エラストマー、塩素化ポリエチレン系熱可塑性エラストマー等を利用できる。さらにこれらのゴム状弾性体で耐久性を考慮するとスチレン系熱可塑性エラストマー、エステル系熱可塑性エラストマーが好ましく、また温度依存性が少ない点を考慮するとシリコーンゴムが好ましい。このシリコーンゴムでは、芳香環と窒素原子とを有する有機珪素化合物を混合した付加硬化型を使用するとフィルムシート１１に対し接着し易くすることができる。
【００２６】
「保護層」の材質は、薄くても引張強度の高い樹脂が好ましい。例えば、ポリエチレン樹脂、ポリプロピレン樹脂、ポリアミド樹脂、ポリ塩化ビニル樹脂、ポリカーボネート樹脂、アクリロニトリル・ブタジエン・スチレン樹脂、ポリエチレンテレフタレート樹脂、ポリブチレンテレフタレート樹脂、ポリフェニレンオキサイド樹脂、ポリフェニレンサルファイド樹脂、ポリウレタン樹脂、ポリフェニレンエーテル樹脂、変性ポリフェニレンエーテル樹脂、ポリケトン樹脂、液晶ポリマーなどの単一材又は複合材が使用できる。これらのうち他の材質よりも薄くて柔軟で破断し難いポリアミド樹脂、ポリウレタン樹脂、ポリ塩化ビニル樹脂などが「軟質樹脂」として好適である。また「熱可塑性樹脂」であれば、加熱により軟化又は溶融して他部材との固着を強固にできる。
【００２７】
「硬質樹脂」の材質は、機械的強度、耐久性等の要求性能、及び軽量化により、熱可塑性樹脂又は反応硬化性樹脂が好ましい。例えば、ポリカーボネート樹脂、ポリメチルメタクリレート樹脂、ポリプロピレン樹脂、ポリスチレン樹脂、ポリアクリル共重合樹脂、ポリオレフィン樹脂、アクリロニトリルブタジエンスチレン樹脂、ポリエステル樹脂、エポキシ樹脂、ポリウレタン樹脂、ポリアミド樹脂、シリコーン樹脂等が挙げられる。さらにこれらの硬質樹脂で加工性を考慮すると、ポリカーボネート樹脂、ポリメチルメタクリレート樹脂、ポリアクリル共重合樹脂、アクリロニトリルブタジエンスチレン樹脂が好ましく、高硬度を考慮すると、ポリメチルメタクリレート樹脂、ポリアクリル共重合樹脂、エポキシ樹脂が好ましい。また透明性を考慮すると、ポリカーボネート樹脂、ポリメチルメタクリレート樹脂、ポリアクリル共重合樹脂が好ましい。
【００２８】
最後に本実施形態のキーシート８の作用・効果を説明する。
【００２９】
キーシート８では、キートップ４を押圧操作すると、ゴム成型体１０の浮動支持部１０ｃとフィルムシート１１が変形し、浮動支持部１０ｃとフィルムシート１１の両者で押圧荷重を受けることができる。このため浮動支持部１０ｃにかかる荷重が緩和され、浮動支持部１０ｃを破損し難くすることができる。したがって直立させたり傾倒させても樹脂板１２によってキーシート８の歪みを抑えることができ、押圧操作に対してはフィルムシート１１によって浮動支持部１０ｃを破損し難くできる。
【００３０】
ゴム成型体１０と樹脂板１２との間にフィルムシート１１が介在するため、キートップ４を押圧したときに、ゴム成型体１０が樹脂板１２における桟部１２ａの側壁と擦れ合うことを防げる。よってゴム成型体１０の樹脂板１２と擦れることにより生じる破損を防止できる。
【００３１】
フィルムシート１１をウレタン系の軟質樹脂で形成するため、キートップ４を押圧操作すると浮動支持部１０ｃに加えフィルムシート１１の変形を伴うが、押圧荷重の増加を小さく抑えることができる。よってフィルムシート１１を備えていない場合と同様の操作性を実現できる。
【００３２】
フィルムシート１１を熱可塑性樹脂で形成するため、フィルムシート１１を加熱・加圧処理で軟化できる。よってゴム成型体１０を成形するときに、成形金型にフィルムシート１１をインサートすれば、成形時の熱と圧力によってフィルムシート１１のゴム成型体１０と接触する面が軟化又は溶融し、ゴム成型体１０の成形と同時にフィルムシート１１を一体化できる。
【００３３】
第２実施形態〔図３〕
第２実施形態のキーシート１４が、第１実施形態のキーシート８と異なるのは、ゴム成型体１０の構成である。残余の構成及びその作用と効果は第１実施形態と同じである。
【００３４】
ゴム成型体１０には、第１実施形態のキーシート８ではキートップ４ごとに分割していたゴム成型体１０を繋ぐ連結部１０ｄを設けてある。この連結部１０ｄは、樹脂板１２における桟部１２ａの裏面に固着するフィルムシート１１の部分を介して形成されている。
【００３５】
第２実施形態のキーシート１４は、第１実施形態のキーシート８と同様の作用と効果を発揮できるほか、さらに次の作用・効果を発揮する。
【００３６】
キーシート１４によれば、ゴム成型体１０に連結部１０ｄを設けているため、ゴム成型体１０とフィルムシート１１との固着面積を増やすことができる。よってゴム成型体１０とフィルムシート１１との固着強度を高めることができる。
【００３７】
連結部１０ｄにてゴム成型体１０を繋いでいるため、ゴム成型体１０を一枚のシート状に形成できる。よって分割形成する場合と比べて成形を簡単にできる。
【００３８】
第３実施形態〔図４〕
第３実施形態のキーシート１５が、第１実施形態のキーシート８と異なるのは、フィルムシート１１の構成である。残余の構成及びその作用と効果は第１実施形態と同じである。
【００３９】
フィルムシート１１は、ゴム成型体１０における台座部１０ａのキートップ４との固着面も覆っている。即ちウレタン系のフィルムシート１１はシリコーンゴムのゴム成型体１０の表面を全て被覆している。
【００４０】
第３実施形態のキーシート１５は、第１実施形態のキーシート８と同様の作用と効果を発揮できるほか、さらに次の作用・効果を発揮する。
【００４１】
キーシート１５では、フィルムシート１１が台座部１０ａにおけるキートップ４との固着面を覆っているため、フィルムシート１１とゴム成型体１０との固着面積を増やすことができる。よってフィルムシート１１とゴム成型体１０との固着強度を高めることができる。
【００４２】
キートップ４を固着する面が、ウレタン系のフィルムシート１１でなるため、加熱により軟化又は溶融するホットメルト接着剤でなる接着層１３を使用できる。ホットメルト接着剤は、熱転写を利用してキートップ４の固着面積及び固着形状に合わせて接着層１３を設けることができる。よって接着剤のはみ出しによる浮動支持部１０ｃへの接着層１３の付着を防止でき、浮動支持部１０ｃを破損し難くできる。またホットメルト接着剤でなる接着層１３は、液状の接着剤を塗布した接着層と異なり層中にエアーを巻き込むことがない。このためキーシート１５をバックライト照光すると、キートップ４は均一にむら無く照光される。
【００４３】
第４実施形態〔図５〕
第４実施形態のキーシート１６が、第１実施形態のキーシート８と異なるのは、フィルムシート１１の構成である。残余の構成及びその作用と効果は第１実施形態と同じである。
【００４４】
フィルムシート１１は、熱可塑性樹脂のポリカーボネート樹脂でなり、第３実施形態と同様に台座部１０ａのキートップ４との固着面も覆っている。なお、本実施形態のキートップ４は、後述のようにポリカーボネート樹脂でなるフィルムシート１１と加熱・加圧処理により固着するため、以上の実施形態とは異なりポリカーボネート樹脂で形成されている。
【００４５】
第４実施形態のキーシート１６は、第１実施形態のキーシート８と同様の作用と効果を発揮できるほか、さらに次の作用・効果を発揮する。
【００４６】
キーシート１６は、キートップ４及びフィルムシート１１がともに熱可塑性のポリカーボネート樹脂で形成されているため、両者を加熱・加圧処理で軟化又は溶融して固着できる。よって超音波融着法を用いればキートップ４とフィルムシート１１を簡単にしかも接着剤に比べて強固に固着できる。また接着剤を用いていないため、浮動支持部１０ｃに接着剤が付着することはなく、浮動支持部１０ｃを破損し難くできる。
【００４７】
第５実施形態〔図６〕
第５実施形態のキーシート１７が、第２実施形態のキーシート１４と異なるのは、フィルムシート１１の構成である。残余の構成及びその作用と効果は第２実施形態と同じである。
【００４８】
フィルムシート１１は、樹脂板１２における桟部１２ａの表面を覆っている。即ちフィルムシート１１とゴム成型体１０の連結部１０ｄとで樹脂板１２の表裏面を挟み、樹脂板１２の表出部分をなくしている。
【００４９】
第５実施形態のキーシート１７は、第２実施形態のキーシート１４と同様の作用と効果を発揮できるほか、さらに次の作用・効果を発揮する。
【００５０】
キーシート１７によれば、樹脂板１２が表出していないため、キートップ４、筐体２（図外）、又は基板（図外）と樹脂板１２との接触を回避できる。例えば樹脂板１２の表面が表出していると、キートップ４を押圧した際に硬質のキートップ４と硬質の樹脂板１２が衝突し異音を発することがある。しかし第５実施形態では樹脂板１２の表面を可撓性のフィルムシート１１が覆っているため、フィルムシート１１がクッションのように両者の衝突を緩衝し、異音の発生を防ぐことができる。他方、ベースシート９の外縁は筐体２と基板の間に圧縮状態で固定されている。例えば樹脂板１２の表面又は裏面が表出していると、携帯電話機１に搭載されているバイブレータが作動した際に硬質の筐体２又は基板と硬質の樹脂板１２が振動で擦れて異音を発生することがある。しかし第５実施形態では樹脂板１２の表面を可撓性のフィルムシート１１が覆い、裏面を連結部１０ｄが覆っているため、筐体２又は基板と樹脂板１２の擦れはなく、異音の発生を防ぐことができる。
【００５１】
第６実施形態〔図７〕
第５実施形態のキーシート１８が、第１実施形態のキーシート８と異なるのは、ゴム成型体１０の構成である。残余の構成及びその作用と効果は第１実施形態と同じである。
【００５２】
ゴム成型体１０には、第１実施形態のキーシート８ではキートップ４ごとに分割していたゴム成型体１０を繋ぐ連結部１０ｄを設けてある。この連結部１０ｄの裏面は、樹脂板１２における桟部１２ａの表面と固着している。
【００５３】
第５実施形態のキーシート１８は、第１実施形態のキーシート８と同様の作用と効果を発揮できるほか、さらに次の作用・効果を発揮する。
【００５４】
キーシート１８によれば、ゴム成型体１０に連結部１０ｄを設けているため、ゴム成型体１０とフィルムシート１１との固着面積を増やすことができる。よってゴム成型体１０とフィルムシート１１との固着強度を高めることができる。
【００５５】
連結部１０ｄにてゴム成型体１０を繋いでいるため、ゴム成型体１０を一枚のシート状に形成できる。よって分割形成する場合と比べて成形を簡単にできる。
【００５６】
第７実施形態〔図８〕
第６実施形態のキーシート１９が、第６実施形態のキーシート１８と異なるのは、ゴム成型体１０の構成である。残余の構成及びその作用と効果は第６実施形態と同じである。
【００５７】
ゴム成型体１０には、裏面に樹脂板１２の桟部１２ａの側壁を覆いこの樹脂板１２を保持する保持部１０ｅが設けてある。
【００５８】
第７実施形態のキーシート１９は、第６実施形態のキーシート１８と同様の作用と効果を発揮できるほか、さらに次の作用・効果を発揮する。
【００５９】
キーシート１９では、ゴム成型体１０に保持部１０ｅを設けているため、ゴム成型体１０と樹脂板１２との固着面積を増やすことができる。よってゴム成型体１０と樹脂板１２との固着強度を高めることができる。
【００６０】
保持部１０ｅは、ゴム成型体１０の浮動支持部１０ｃと樹脂板１２の間に介在するため、キートップ４を押圧したときに、浮動支持部１０ｃが樹脂板１２における桟部１２ａの側壁と擦れ合うことを防げる。よって浮動支持部１０ｃの樹脂板１２と擦れることにより生じる破損を防止できる。
【００６１】
第８実施形態〔図９〕
第８実施形態のキーシート２０が、第６実施形態のキーシート１８と異なるのは、フィルムシート１１の構成である。残余の構成及びその作用と効果は第６実施形態と同じである。
【００６２】
フィルムシート１１はゴム成型体１０の表面になく、裏面を被覆している。このフィルムシート１１の裏面に、樹脂板１２における桟部１２ａの表面を固着している。即ちゴム成型体１０の連結部１０ｄと樹脂板１２の桟部１２ａとの間にフィルムシート１１が介在している。
【００６３】
第８実施形態のキーシート２０は、第６実施形態のキーシート１８と同様の作用と効果を発揮できるほか、さらに次の作用・効果を発揮する。
【００６４】
キーシート２０では、フィルムシート１１がゴム成型体１０の裏面を被覆しているため、キートップ４を押圧したときに、ゴム成型体１０の浮動支持部１０ｃが樹脂板１２における桟部１２ａの側壁と擦れ合うことを防げる。よって浮動支持部１０ｃの樹脂板１２と擦れることにより生じる破損を防止できる。
【００６５】
第９実施形態〔図１０〕
第９実施形態のキーシート２１が、第８実施形態のキーシート２０と異なるのは、フィルムシート１１の構成である。残余の構成及びその作用と効果は第８実施形態と同じである。
【００６６】
フィルムシート１１は、ゴム成型体１０の表面及び裏面の両面を被覆している。
【００６７】
第９実施形態のキーシート２１は、第８実施形態のキーシート２０と同様の作用と効果を発揮できるほか、さらに次の作用・効果を発揮する。
【００６８】
キーシート２１は、フィルムシート１１がゴム成型体１０の表面及び裏面を被覆しているため、キートップ４を押圧操作したときに浮動支持部１０ｃにかかる荷重は前記各実施形態より緩和される。よって浮動支持部１０ｃを前記各実施形態より破損し難くすることができる。
【００６９】
その他
以上の各実施形態における特徴的な構成は、他の実施形態についても適用することができる。その一例としては、前述の第２及び第５〜第９実施形態のゴム成型体１０における台座部１０ａの上面（キートップ４の固着面）をフィルムシート１１で被覆することも可能である。別な例としては、前述の第７実施形態のゴム成型体１０の裏面をフィルムシート１１で被覆することも可能である。
【００７０】
以上の実施形態では「保護層」としてフィルムシート１１を例示したが、それ以外の例えば塗布にて形成する塗膜としてもよい。
【００７１】
以上の実施形態についてはキートップ４の上面又は底面に、あるいはフィルムシート１１に文字状又は抜き文字状の表示印刷層を形成してもよい。
【００７２】
以上の各実施形態では「補強部材」として樹脂板１２を例示したが、例えばステンレス、アルミニウムなどの金属板としてもよい。
【００７３】
さらに以上の実施形態については「補強部材」としての樹脂板１２及びフィルムシート１１を透明材にて形成し照光用光源からの光をキートップ４に導光する導光機能を有するものとしてもよい。また例えば第１，２，５，６，７実施形態についてはフィルムシート１１を遮光性とし、キートップ４を透光性にするとともに文字状又は抜き文字状の表示印刷層を形成することで、隣接するキートップ４どうしの間からは光漏れせず、キートップ４が明るく照光する照光式キーシートとすることができる。そして透光性又は遮光性の如何に拘わらず色付きのフィルムシート１１とすることで、隣接するキートップ４間の隙間から覗く着色をデザイン要素とすることもできる。
【００７４】
そして以上の実施形態では所謂「狭間キーシート」としての構成を例示したが、仕切桟のある筐体２に組み込むキーシートとして構成してもよい。
【図面の簡単な説明】
【００７５】
【図１】第１実施形態のキーシートの上面図。
【図２】図１のＳＢ−ＳＢ線断面図。
【図３】第２実施形態のキーシートの要部拡大断面図。
【図４】第３実施形態のキーシートの要部拡大断面図。
【図５】第４実施形態のキーシートの要部拡大断面図。
【図６】第５実施形態のキーシートの要部拡大断面図。
【図７】第６実施形態のキーシートの要部拡大断面図。
【図８】第７実施形態のキーシートの要部拡大断面図。
【図９】第８実施形態のキーシートの要部拡大断面図。
【図１０】第９実施形態のキーシートの要部拡大断面図。
【図１１】キーシートを備える携帯電話機の外観図。
【図１２】図１１のＳＡ−ＳＡ線断面図。
【符号の説明】
【００７６】
１    携帯電話機
２    筐体
２ａ  操作開口
３    キーシート（従来例）
４    キートップ
５    ベースシート
６    基台部
６ａ  台座部
６ｂ  可撓部
７    補強板
８    キーシート（第１実施形態）
９    ベースシート
１０    ゴム成型体（支持部材）
１０ａ  台座部
１０ｂ  押し子部
１０ｃ  浮動支持部
１０ｄ  連結部
１０ｅ  保持部
１１    フィルムシート（保護層）
１２    樹脂板（補強部材）
１２ａ  桟部
１２ｂ  貫通孔
１３    接着層
１４    キーシート（第２実施形態）
１５    キーシート（第３実施形態）
１６    キーシート（第４実施形態）
１７    キーシート（第５実施形態）
１８    キーシート（第６実施形態）
１９    キーシート（第７実施形態）
２０    キーシート（第８実施形態）
２１    キーシート（第９実施形態）
【図１】
0004398951.tif 000002
【図２】
0004398951.tif 000003
【図３】
0004398951.tif 000004
【図４】
0004398951.tif 000005
【図５】
0004398951.tif 000006
【図６】
0004398951.tif 000007
【図７】
0004398951.tif 000008
【図８】
0004398951.tif 000009
【図９】
0004398951.tif 000010
【図１０】
0004398951.tif 000011
【図１１】
0004398951.tif 000012
【図１２】
0004398951.tif 000013